(57)【要約】【課題】携帯端末を持ったユーザが明るい環境から暗い環境へ移動し、携帯端末の操作中に誤って近接センサを手で覆ってしまった場合に、誤検出が発生してしまう可能性を抑えることができる携帯端末を提供する。【解決手段】本発明の携帯端末は、表示部と、検出対象の近接状態を検出する近接センサと、明暗を検出する光センサと、近接センサが近接状態を検出し、かつ、光センサが暗い状態を検出した場合、近接センサで当該近接状態を検出した時刻と光センサで当該暗い状態を検出した時刻との時間差に応じて、表示部の動作状態を切り替える制御部とを備えている。【選択図】図２
2014011765.tif 000002
【特許請求の範囲】
【請求項１】
表示部と、
検出対象の近接状態を検出する近接センサと、
明暗を検出する光センサと、
前記近接センサが近接状態を検出し、かつ、前記光センサが暗い状態を検出した場合、前記近接センサで当該近接状態を検出した時刻と前記光センサで当該暗い状態を検出した時刻との時間差に応じて、前記表示部の動作状態を切り替える制御部と
を備えることを特徴とする携帯端末。
【請求項２】
前記制御部は、前記時間差が所定の閾値未満である場合に前記表示部を消灯状態にする
ことを特徴とする請求項１に記載の携帯端末。
【請求項３】
前記制御部は、さらに、前記時間差が、前記所定の閾値より小さい第２閾値未満である場合に、前記表示部を用いた所定の警報動作を行う
ことを特徴とする請求項２に記載の携帯端末。
【請求項４】
前記近接センサは近接状態を検出した場合にＬｏｗ信号を出力し、近接状態を検出しない場合にはＨｉｇｈ信号を出力し、
前記光センサは、暗い状態を検出した場合にＬｏｗ信号を出力し、明るい状態を検出した場合にはＨｉｇｈ信号を出力し、
前記制御部は、前記近接センサから出力されるＬｏｗ信号またはＨｉｇｈ信号と、前記光センサから出力されるＬｏｗ信号またはＨｉｇｈ信号とに基づいて出力される排他的論理和の負論理出力がＬｏｗ信号である場合に前記時間差に応じて、前記表示部の動作状態を切り替える
ことを特徴とする請求項１から請求項３の何れか１項に記載の携帯端末。
【請求項５】
表示部と、
検出対象の近接状態を検出する近接センサと、
明暗を検出する光センサとを用い、
前記近接センサが近接状態を検出し、かつ、前記光センサが暗い状態を検出した場合、前記近接センサで当該近接状態を検出した時刻と前記光センサで当該暗い状態を検出した時刻との時間差に応じて、前記表示部の動作状態を切り替える
ことを特徴とする携帯端末の制御方法。
【請求項６】
表示部と、
検出対象の近接状態を検出する近接センサと、
明暗を検出する光センサとを用い、
前記近接センサが近接状態を検出し、かつ、前記光センサが暗い状態を検出した場合、前記近接センサで当該近接状態を検出した時刻と前記光センサで当該暗い状態を検出した時刻との時間差に応じて、前記表示部の動作状態を切り替える過程を
コンピュータに実行させる
ことを特徴とする携帯端末の制御プログラム。
【発明の詳細な説明】
【技術分野】
【０００１】
本発明は、携帯端末、携帯端末の制御方法及び携帯端末の制御プログラムに関する。
【背景技術】
【０００２】
携帯端末の高性能・高機能化に伴い、電池の消費が早くなってきている。それによりユーザは充電する回数が増え、結果的に電池寿命の劣化速度が早まるという課題がある。特に携帯端末の表示部は電流を多く消費するため、表示部の無駄な点灯を減らすことが省電力化するために重要である。
【０００３】
例えば特許文献１には、近接センサと照度センサとを併用して表示部の動作状態を制御する携帯端末が示されている。特許文献１に記載されている携帯端末は、近接センサによって検出対象の近接を検出した前後で照度センサによって検出した明るさが、明から暗に変化した場合に不使用モードへの切替を行う（特許文献１の段落００９１から００９２、図８（ａ）等参照）。特許文献１に記載されている携帯端末は、近接センサと照度センサとを併用することで、近接センサにユーザの手が触れたこと等で発生する誤検出を防いでいる。
【０００４】
また、特許文献２には、近接センサ、光センサ及び加速度センサを用いて表示部の動作状態を制御する携帯端末が示されている。特許文献２に記載されている携帯端末は、加速度センサで移動が検出され、近接センサで近接が検出され、そして光センサで暗い状態が検出された場合に、表示画面を消灯する（特許文献２の図５等参照）。特許文献２に記載されている携帯端末は、近接センサと光センサと加速度センサとを併用することで、携帯端末を移動させながらユーザの指が近接センサを覆っている場合に発生する誤検出を防いでいる。
【０００５】
そして、特許文献３には、近接センサと照度センサとを用いて液晶ディスプレイのバックライトの発光量やオン／オフ状態を制御する携帯端末が示されている。特許文献３に記載されている携帯端末は、近接センサで検知した距離と、照度センサで検知した明るさとに基づいて、液晶ディスプレイのバックライトの発光量等を制御する。特許文献３に記載されている携帯端末は、明るさと距離に応じてバックライトの発光量を制御することで、消費電力の効率的な削減を図っている。
【先行技術文献】
【特許文献】
【０００６】
【特許文献１】特開２０１２−０３３９９７号公報
【特許文献２】特開２０１２−０２９２１７号公報
【特許文献３】特開２０１０−２２４０７５号公報
【発明の概要】
【発明が解決しようとする課題】
【０００７】
特許文献１や特許文献２に記載されている構成によれば、例えば、携帯端末の表示部を下にして机に置いたり、ポケットやカバン内に携帯端末を入れたりした際に、それを検知して表示部を消灯状態にすることができる。しかしながら、次のような状況に対しては十分に対応できない場合があるという課題がある。つまりその状況とは、携帯端末を持ったユーザが明るい環境から暗い環境へ移動し、その暗い環境で携帯端末の操作中に誤って近接センサを手で覆ってしまった場合である。この場合、表示部を消灯状態にする制御は行わないことが望ましい。
【０００８】
上記の場合、照度センサは、移動前に明るく、移動後に暗いという検出結果を出力する。一方、近接センサは、ユーザが手で覆う前に遠く、覆った後に近いという検出結果を出力する。すなわち、近接センサが近接状態を検出する前後で、周囲の明るさは明から暗へと変化する。また、加速度センサを用いた場合には、加速度センサで移動が検出され、近接センサで近接が検出され、そして光センサで暗い状態が検出される。これに対し、上述した特許文献１の構成では、近接センサが近接状態を検出した前後で、照度センサの検出値が明から暗へと変化した場合に表示がオフ状態に制御される。したがって、上記の場合に、特許文献１の構成では、不使用モードへの切替が行われてしまう。他方、特許文献２の構成によれば、加速度センサで移動が検出され、近接センサで近接が検出され、そして光センサで暗い状態が検出された場合に、表示がオフ状態に制御される。したがって、特許文献２の構成でも、上記の場合、表示がオフ状態に制御される。すなわち、上記の場合では、特許文献１や特許文献２の構成では、ユーザが操作中であるにもかかわらず、携帯端末の表示部が消灯してしまうことになる。
【０００９】
以上のように、特許文献１や特許文献２の構成では、携帯端末を持ったユーザが明るい環境から暗い環境へ移動し、携帯端末の操作中に誤って近接センサを手で覆ってしまった場合に、誤検出が発生してしまう可能性が高いという課題があった。また特許文献３はそのような課題を解決するものではない。
【００１０】
本発明は、上記のような事情を考慮してなされたものであり、上記の課題を解決することができる携帯端末、携帯端末の制御方法及び携帯端末の制御プログラムを提供することを目的とする。
【課題を解決するための手段】
【００１１】
上記課題を解決するため、本発明の携帯端末は、表示部と、検出対象の近接状態を検出する近接センサと、明暗を検出する光センサと、前記近接センサが近接状態を検出し、かつ、前記光センサが暗い状態を検出した場合、前記近接センサで当該近接状態を検出した時刻と前記光センサで当該暗い状態を検出した時刻との時間差に応じて、前記表示部の動作状態を切り替える制御部とを備えることを特徴とする。
【００１２】
また、本発明の携帯端末の制御方法は、表示部と、検出対象の近接状態を検出する近接センサと、明暗を検出する光センサとを用い、前記近接センサが近接状態を検出し、かつ、前記光センサが暗い状態を検出した場合、前記近接センサで当該近接状態を検出した時刻と前記光センサで当該暗い状態を検出した時刻との時間差に応じて、前記表示部の動作状態を切り替えることを特徴とする。
【００１３】
また、本発明の携帯端末の制御プログラムは、表示部と、検出対象の近接状態を検出する近接センサと、明暗を検出する光センサとを用い、前記近接センサが近接状態を検出し、かつ、前記光センサが暗い状態を検出した場合、前記近接センサで当該近接状態を検出した時刻と前記光センサで当該暗い状態を検出した時刻との時間差に応じて、前記表示部の動作状態を切り替える過程をコンピュータに実行させることを特徴とする。
【発明の効果】
【００１４】
上述した明るい環境から暗い環境へ移動した後、近接センサを手で覆ってしまうという状況では、まず、光センサが暗い状態を検出し、次に、近接センサが近接状態を検出するということになる。この状況では、光センサが暗い状態を検出した時刻と、近接センサが近接状態を検出した時刻とは、ある程度の時間差を有し、一致するという可能性はそれほど高くない。これに対し、表示部の動作状態を省電力状態にすることが望ましい次のような場合には、両センサの各検出時刻は、ほぼ一致することが多いと考えられる。すなわち、例えば、携帯端末の表示部を下にして机に置いたり、ポケットやカバン内に携帯端末を入れたりした場合、両センサの当該各検出時刻はほぼ一致することになると考えられる。このように、誤検出が発生しやすい状況と、正しく検出することが望ましい状況との間には、両センサの各検出時刻の時間差について、多くの場合、一定程度の差異があると考えられる。
【００１５】
そこで、本発明の構成では、近接センサが近接状態を検出し、かつ、光センサが暗い状態を検出した場合、制御部が、両センサの当該各検出時刻の時間差に応じて、表示部の動作状態を切り替える。そのため、本発明の構成によれば、両センサの当該各検出時刻の時間差について動作状態の切替を行うか否かの基準となる値を適切に設定することで、上記の誤検出を防止しつつ、検出することが望ましい状況を適切に検出することができる。
【図面の簡単な説明】
【００１６】
【図１】本発明の一実施形態としての携帯端末の外観構成例を示した模式図である。
【図２】図１に示した携帯端末１の内部構成を示したブロック図である。
【図３】図１に示した近接センサ３及び照度センサ４の検出動作例を示した説明図である。
【図４】図１に示した携帯端末１の動作例を説明するための説明図である。
【図５】図１に示した携帯端末１の動作例を説明するための説明図である。
【図６】図１に示した携帯端末１の動作例を説明するためのフローチャートである。
【図７】図１に示した携帯端末１の動作例を説明するためのタイミングチャートである。
【図８】図１に示した携帯端末１の動作例を説明するためのタイミングチャートである。
【図９】図１に示した携帯端末１の動作例を説明するためのタイミングチャートである。
【図１０】図１に示した携帯端末１の動作例を説明するためのタイミングチャートである。
【図１１】図１に示した携帯端末１の動作例を説明するためのタイミングチャートである。
【発明を実施するための形態】
【００１７】
以下、図面を参照して本発明による携帯端末の実施の形態について説明する。図１は、本発明の一実施形態としての携帯端末の外観構成例を示した模式図である。図２は、図１に示した携帯端末１の内部構成例を示したブロック図である。
【００１８】
図１に示したように、本実施形態の携帯端末１は、表示部２、近接センサ３、照度センサ４及び操作部５を備えている。また、図２に示したように、本実施形態の携帯端末１は、表示部２、近接センサ３、照度センサ４等を制御する制御部１０を備えている。
【００１９】
携帯端末１は、携帯電話機、スマートフォン、タブレット端末等の携帯型の通信端末や情報処理装置である。なお、図１及び図２では、携帯端末１において、本実施形態が特徴とする部分の構成を示している。
【００２０】
表示部２は、液晶ディスプレイ（Ｌｉｑｕｉｄ  Ｃｒｙｓｔａｌ  Ｄｉｓｐｌａｙ）であり、ＬＣＤバックライトを有している。図２に示したように、表示部２は、制御部１０から、表示する文字や画像を表す信号のほか、表示ＯＮ／ＯＦＦ（オン／オフ）信号や、バックライト制御信号を入力する。そして、表示部２は、これらの信号に基づいて、表示動作を行ったり、表示動作のオン／オフを切り替えたり、バックライトの点灯状態を制御したりする。ここで表示動作とは、液晶ディスプレイを構成する各画素の画素値を制御して文字や画像を表示する動作である。そして、バックライトの点灯状態（オン状態）の制御とは、表示動作がオンの場合に照度センサ４の検知した光の明るさ応じてバックライトの輝度を段階的（又は連続的）に調節する制御である。また、消灯状態（オフ状態）の制御とは、表示動作をオフとするとともに、バックライトを消灯（つまりオフ状態と）する制御である。
【００２１】
近接センサ３は、非接触で検出対象の近接状態を検出するセンサであり、携帯端末１の表示部２の表示面２ａ側に設けられている。本実施形態では、近接センサ３が、図３に示したように、検出対象の物体が接近する場合、距離Ｘ［ｍｍ］未満で“Ｌ”（ローレベル）、距離Ｘ［ｍｍ］以上で“Ｈ”（ハイレベル）の状態の検出信号を出力する。なお、近接センサ３は、検出対象の物体までの距離の大きさに応じたアナログ信号を出力するものであってもよい。この場合、例えば、制御部１０が、近接センサ３からのアナログ信号をアナログ／デジタル変換して入力することで、図３に示すような検出結果を示す信号を生成する。
【００２２】
照度センサ４は、周辺環境の光の明暗を検出するセンサ（すなわち光センサ）であり、携帯端末１の表示部２の表示面２ａ側に設けられている。本実施形態では、照度センサ４が、図３に示したように、周辺環境の光度がＹ［ｃｄ］未満で“Ｌ”、Ｙ［ｃｄ］以上で“Ｈ”の検出信号を出力する。なお、照度センサ４は、周辺環境の光の明るさに応じたアナログ信号を出力するものであってもよい。この場合、例えば、制御部１０が、照度センサ４からのアナログ信号をアナログ／デジタル変換して入力することで、図３に示すような検出結果を示す信号を生成する。
【００２３】
制御部１０は、内部にＣＰＵ（Ｃｅｎｔｒａｌ  Ｐｒｏｃｅｓｓｉｎｇ  Ｕｎｉｔ）や不揮発及び揮発メモリを有し（又は図示していない外部の不揮発及び揮発メモリを用いて）、その不揮発メモリに格納されている所定のプログラムを実行することで動作する。制御部１０は、また、デジタルの入力端子やアナログの入力端子を有し、近接センサ３及び照度センサ４から出力された各検知信号を入力する。
【００２４】
本実施形態において制御部１０は、近接センサ３が近接状態を検出しかつ照度センサ４が暗い状態を検出した場合、近接センサ３で当該近接状態を検出した時刻と光センサ４で当該暗い状態を検出した時刻との時間差に応じて表示部２の動作状態を切り替える制御を行う。その際、制御部１０は、その時間差が所定の閾値Ｔ［ｓ］未満である場合に表示部２を消灯状態にする。消灯状態とする制御では、制御部１０が、表示ＯＮ／ＯＦＦ信号によって表示ＯＦＦを指示し、表示部２の表示動作とバックライトとをオフ状態にする。閾値Ｔ［ｓ］は、例えば机に置かれたり、ポケットやカバン内にユーザが携帯端末１を入れたりする状況を検知するための基準値である。このような場合には、ほぼ同タイミングで、近接センサ３が検出対象（すなわち、もの）の存在を検出し、照度センサ４が暗いことを検出すると想定される。すなわち時間差は比較的小さな値になると想定される。そこで、閾値Ｔ［ｓ］は、例えば、机に置いたり、ポケットやカバン内にユーザが携帯端末１を入れたりする場合の時間差を実験的に求め、その実験的に求めた時間差よりも少し大きい値とすることができる。
【００２５】
制御部１０は、さらに、その時間差が閾値Ｔより小さい第２閾値Ｔ２未満である場合に表示部２を用いた所定の警報動作を行う。例えばポケットやカバン内にユーザが携帯端末１を入れる状況では、近接センサ３が近接状態を検出した時刻と照度センサ４が暗い状態を検出した時刻との時間差は、比較的短時間であるとは考えられるものの、零又は零にごく近い値ではないと考えられる。近接センサ３と照度センサ４との取り付け位置が異なることと、検知する物理量が異なること等によって、一定程度の時間差は発生すると考えられるからである。したがって、近接センサ３が近接状態を検出した時刻と照度センサ４が暗い状態を検出した時刻との時間差が零に近い値であるということは、状況が例えばポケットやカバン内にユーザが携帯端末１を入れる状況とは異なるものであるということが想定される。想定される１つの状況としては、両センサを同時に手で覆ってしまう場合の誤検出である。そこで、制御部１０は、時間差が閾値Ｔより小さい第２閾値Ｔ２未満である場合には、表示部２を用いて、その旨の警報動作を行う。制御部１０は、例えば、表示部２でバックライトの輝度を最大にしたり、バックライトを点滅させたり、表示部２に所定の画像や文字を表示することで、近接センサ３と照度センサ４が誤って覆われている可能性があることについてユーザに対して注意喚起する警報動作を行う。
【００２６】
また、制御部１０は、表示部２をオフ状態に制御している場合には、近接センサ３が遠い状態を検出するか又は照度センサ４が明るい状態を検出したときに、表示部２をオン状態に切り替える制御を行う。オン状態の制御では、制御部１０が、表示ＯＮ信号と、照度センサ４の検出信号の値に応じたバックライト制御信号とを、表示部２に対して出力する。これによって表示動作がオンとされ、さらに照度センサ４の検知した光の明るさ応じてバックライトの輝度が調節される。
【００２７】
図４に携帯端末１の省電力制御の基本的動作を一覧にして示した。状態１は、近接センサ３で検知した値がＸ［ｍｍ］未満（すなわち、近接センサ３の出力検知信号が“Ｌ”）で、照度センサ４で検知した値がＹ［ｃｄ］未満（すなわち、照度センサ４の出力検知信号が“Ｌ”）の場合である。状態２は、近接センサ３で検知した値がＸ［ｍｍ］以上（すなわち、近接センサ３の出力検知信号が“Ｈ”）で、照度センサ４で検知した値がＹ［ｃｄ］未満（すなわち、照度センサ４の出力検知信号が“Ｌ”）の場合である。状態３は、近接センサ３で検知した値がＸ［ｍｍ］未満（すなわち、近接センサ３の出力検知信号が“Ｌ”）で、照度センサ４で検知した値がＹ［ｃｄ］以上（すなわち、照度センサ４の出力検知信号が“Ｈ”）の場合である。そして、状態４は、近接センサ３で検知した値がＸ［ｍｍ］以上（すなわち、近接センサ３の出力検知信号が“Ｈ”）で、照度センサ４で検知した値がＹ［ｃｄ］以上（すなわち、照度センサ４の出力検知信号が“Ｈ”）の場合である。
【００２８】
図４において、状態１は近接センサ３周辺にものが存在し、照度センサ４で暗いことを検出した場合である。この場合、制御部１０は、近接センサ３の検出時刻と照度センサ４の検出時刻との間の時間差が所定の閾値Ｔ未満の場合に、表示ＯＦＦの判定をする。制御部１０は、表示ＯＦＦの判定をした場合、表示ＯＦＦ信号及びバックライトオフを指示するバックライト制御信号を出力する。この処理をすることで、例えば携帯端末１の表示部２を下にして机に置いたり、ポケットやカバン内に携帯端末１を入れたりする際に、ユーザが操作をすることなく表示をＯＦＦにすることができ、容易に省電力化することが可能になる。
【００２９】
状態１において、さらに、ユーザがポケットやカバン内から携帯端末１を取り出すと例えば状態４に遷移する。状態４は近接センサ３周辺にものが存在し、照度センサ４で明るいことを検出した場合である。この場合、制御部１０は、表示ＯＮの判定をする。制御部１０は、表示ＯＮの判定をした場合、表示ＯＮ信号及び、照度センサ４の検出値に応じて所定の輝度値を指示するバックライト制御信号を出力する。この処理をすることで、ユーザからは操作をすることなく表示を復帰（ＯＮに）することができる。
【００３０】
また、状態２は近接センサ３周辺にものがなく、照度センサ４で暗いことを検出した場合である。このとき、制御部１０は、表示ＯＮの判定をする。これは例えばユーザが暗闇で携帯端末１を操作する場合、表示をＯＮとするための状態である。また状態２であれば、誤ってユーザが照度センサ４を手で覆ってしまっても、近接センサ３の検知信号に基づいて近くにものがないことを判断することができるため、表示が消えるという問題は起きない。
【００３１】
また、状態３は近接センサ３周辺にものが存在し、照度センサ４で明るいことを検出した場合である。状態３では、状態２と逆に誤ってユーザが近接センサ３を手で覆ってしまっても、照度センサ４で明るいことを判断することができるため、表示が消えるという問題は起きない。
【００３２】
図４において、表示部２の表示動作をオフする際に、近接センサ３の検出時刻と照度センサ４の検出時刻との間の時間が所定の閾値Ｔ未満であることを条件としたのは、次の理由による。すなわち、ユーザが誤って各センサを手で覆ってしまうことで表示が消えてしまうという問題を起きにくくするためである。特に、暗い環境で近接センサ３を手で覆ってしまった場合でも、表示が消えることは通常なくなる。
【００３３】
図５に閾値Ｔに基づく携帯端末１の動作例を示した。「閾値Ｔ［ｓ］＞検知した値Ｔｄ」（ここでＴｄは近接センサ３の検出時刻と照度センサ４の検出時刻との間の時間差を表す）のシーンは、ポケットやカバン内に携帯端末１を入れたりする際にほぼ同タイミングにて近接センサ３周辺にものが存在し、照度センサ４で暗いことを検出した場合を想定している。このときを携帯端末１は表示をＯＦＦにする。
【００３４】
また、「閾値Ｔ［ｓ］≦検知した値Ｔｄ」のシーンは、暗い環境にユーザが移動し、携帯端末１の操作中に誤って近接センサ３を手で覆ってしまう場合を想定している。このとき表示動作は維持される。すなわち、それまでの動作が表示ＯＦＦの場合は表示ＯＦＦのままで、表示ＯＮの場合は表示ＯＮのままで継続制御される。
【００３５】
次に、図６と、図７から図１１を参照して、図２に示した制御部１０の動作例について説明する。図６は、制御部１０が近接センサ３の検知信号と照度センサ４の検知信号とに基づいて表示部２の動作状態を制御（すなわち省電力制御を）する処理の流れを示している。制御部１０は、図６に示した処理を所定の周期で繰り返し実行する。ただし、制御部１０は、図６に示した表示部２の省電力制御のための処理とともに、他の条件による表示部２の省電力制御の処理や、省電力制御以外の処理を、例えば時分割で並行して実行することができる。
【００３６】
また、図７から図１１は、近接センサ３の検知信号、照度センサ４の検知信号、各検知信号の排他的論理和の負論理出力（＝各検知信号の排他的論理和を反転した信号）及び表示部２の動作状態の時間変化を表すタイムチャートである。図７から図１１では、初期段階で、近接センサ３の出力が“Ｈ”（Ｘ［ｍｍ］以上の遠い状態）で、照度センサ４の出力が“Ｈ”（Ｙ［ｃｄ］以上の明るい状態）であるとしている。図７から図１１では、また、初期段階で、表示部２の動作がオン状態であるとしている。
【００３７】
図７は、時刻ｔ１１で照度センサ４が明から暗への変化を検知した後、時刻ｔ１２で近接センサ３が遠から近への変化を検知した場合（ここで、時刻ｔ１１と時刻ｔ１２との時間差Ｔｄ＜閾値Ｔ（ただし、Ｔｄ≧Ｔ２とする））を示している。図８は、時刻ｔ２１で照度センサ４が明から暗への変化を検知した後、時刻ｔ２３で近接センサ３が遠から近への変化を検知した場合（ここで、時刻ｔ２１と時刻ｔ２３との時間差Ｔｄ≧閾値Ｔ）を示している。図９は、時刻ｔ３１で近接センサ３が遠から近への変化を検知した後、時刻ｔ３２で照度センサ４が明から暗への変化を検知した場合（ここで、時刻ｔ３１と時刻ｔ３２との時間差Ｔｄ＜閾値Ｔ（ただし、Ｔｄ≧Ｔ２とする））を示している。図１０は、時刻ｔ４１で近接センサ３が遠から近への変化を検知した後、時刻ｔ４３で照度センサ４が明から暗への変化を検知した場合（ここで、時刻ｔ４１と時刻ｔ４３との時間差Ｔｄ≧閾値Ｔ）を示している。そして、図１１は、時刻ｔ５１で照度センサ４が明から暗への変化を検知した後、時刻ｔ５２で近接センサ３が遠から近への変化を検知した場合（ここで、時刻ｔ５１と時刻ｔ５２との時間差Ｔｄ＜第２閾値Ｔ２＜閾値Ｔ）を示している。
【００３８】
さて、図７に示した例では、時刻ｔ１１で照度センサ４の出力が“Ｈ”から“Ｌ”へと変化する。ここで、時刻ｔ１１では、表示部２がオン状態なので、制御部１０はステップＳ１１で表示がオンであると判定する（ステップＳ１１でＹＥＳ）。また、時刻ｔ１１では近接センサ３の検知信号と照度センサ４の検知信号と排他的論理和の負論理出力が“Ｈ”から“Ｌ”へと変化するので、制御部１０は同出力が“Ｌ”であると判定する（ステップＳ１２でＹＥＳ）。次に、制御部１０は、所定のタイマ等を用いて、経過時間の計測を開始する（ステップＳ１３）。次に、制御部１０は、同出力が“Ｈ”になるまでステップＳ１４の判定処理を繰り返し実行する。そして、時刻ｔ１２では、近接センサ３の出力が“Ｈ”から“Ｌ”へと変化する。ここで、制御部１０はステップＳ１４で同出力が“Ｈ”であると判定する（ステップＳ１４でＹＥＳ）。次に、制御部１０は、ステップＳ１３で開始した経過時間の計測を終了する（ステップＳ１５）。ステップＳ１５では、経過時間の計測値として時刻ｔ１１から時刻ｔ１２までの時間差（あるいは時間）Ｔｄが求められる（ただし、ここでは計測値Ｔｄと実際の時刻ｔ１１から時刻ｔ１２までの時間との間の誤差は無視している）。
【００３９】
次に、制御部１０は、近接センサ３の出力が“Ｌ”かつ照度センサ４の出力が“Ｌ”であるか否かを判定する（ステップＳ１６）。時刻ｔ１２では、両センサの出力がともに“Ｌ”なので、制御部１０はステップＳ１６で両出力がともに“Ｌ”であると判定する（ステップＳ１６でＹＥＳ）。
【００４０】
次に、制御部１０は、ステップＳ１５で計測を終了した経過時間の計測値が閾値Ｔ未満であるか否かを判定する（ステップＳ１７）。図７に示した例では、時刻ｔ１１から時刻ｔ１２までの時間Ｔｄは、閾値Ｔ（図７では時刻ｔ１１から時刻ｔ１３までの時間に対応）よりも短い。そのため、ステップＳ１７では、制御部１０は、経過時間の計測値Ｔｄが閾値Ｔ未満であると判定する（ステップＳ１７でＹＥＳ）。
【００４１】
次に、制御部１０は、計測時間計測値Ｔｄが第２閾値Ｔ２未満か否かを判定する（ステップＳ１８）。図７に示した例では、計測時間計測値Ｔｄが第２閾値Ｔ２以上であるとしているので、ステップＳ１８では、制御部１０は、経過時間の計測値Ｔｄが第２閾値Ｔ２未満ではないと判定する（ステップＳ１７でＮＯ）。
【００４２】
次に、制御部１０は、表示部２をオフ状態とするため、表示ＯＦＦ信号と、バックライトのオフを指示するバックライト制御信号とを、表示部２に対して出力する（ステップＳ２０）。
【００４３】
一方、図８に示した例では、経過時間計測値Ｔｄが時刻ｔ２１から時刻ｔ２３までの時間となる。この時間差Ｔｄは、閾値Ｔ（図８では時刻ｔ２１から時刻ｔ２２までの時間に対応）よりも長い。したがって、図７に示した例に対する上記の動作と異なり、ステップＳ１７の判定結果がＮＯとなる。そのため、ステップＳ２０は実行されず、制御部１０は、表示部２をオフ状態に制御しない。よって、表示部２はオン状態のままとなる。
【００４４】
他方、図９に示した例では、図７に示した例と比較して、近接センサ３と照度センサ４が検出信号を変化させる順序が異なっている。すなわち、図７に示した例では、明から暗に変化した後（時刻ｔ１１）、遠から近に変化している（時刻ｔ１２）。他方、図９に示した例では、遠から近に変化した後（時刻ｔ３１）、明から暗に変化している（時刻ｔ３２）。一方、図６に示した処理は、近接センサ３と照度センサ４との検出順序に影響されない。したがって、図９に示した例では、図７に示した例と同様にして、時刻ｔ３１時点で、ステップＳ１１でＹＥＳ及びステップＳ１２でＹＥＳとなり、ステップＳ１３で経過時間の計測が開始する。さらに、時刻ｔ３２で、ステップＳ１４がＹＥＳとなり、ステップＳ１５で経過時間の計測が終了する。ステップＳ１５で計測が終了した計測時間Ｔｄは、閾値Ｔ（時刻ｔ３１から時刻ｔ３３に対応）より短いので、ステップＳ１７でＹＥＳとなる。ここで、計測時間Ｔｄは第２閾値Ｔ２以上としているので、ステップＳ１８でＮＯとなり、次にステップＳ２０が実行される。ステップＳ２０で、制御部１０は、表示部２をオフ状態とするため、表示ＯＦＦ信号と、バックライトのオフを指示するバックライト制御信号とを、表示部２に対して出力する。
【００４５】
一方、図１０に示した例では、経過時間計測値Ｔｄが時刻ｔ４１から時刻ｔ４３までの時間となる。この時間差Ｔｄは、閾値Ｔ（図１０では時刻ｔ４１から時刻ｔ４２までの時間に対応）よりも長い。したがって、図７及び図９に示した例に対する上記の動作と異なり、ステップＳ１７の判定結果がＮＯとなる。そのため、ステップＳ２０は実行されず、制御部１０は、表示部２をオフ状態に制御しない。よって、表示部２はオン状態のままとなる。
【００４６】
次に、図１１に示した例では、経過時間計測値Ｔｄが時刻ｔ５１から時刻ｔ５２までの時間となる。この時間差Ｔｄは、閾値Ｔ（図１１では時刻ｔ５１から時刻ｔ５４までの時間に対応）よりも短く、さらに、第２閾値Ｔ２（図１１では時刻ｔ５１から時刻ｔ５３までの時間に対応）よりも短い。したがって、図７及び図９に示した例に対する上記の動作と異なり、ステップＳ１８の判定結果がＹＥＳとなる。そのため、制御部１０は、ステップＳ１９の処理を実行する。ステップＳ１９では、制御部１０が、一定時間、表示部２でバックライトの輝度を最大にしたり、バックライトを点滅させたり、表示部２に所定の画像や文字を表示してりすることで、近接センサ３と照度センサ４が誤って覆われていることについてユーザに対して注意喚起する警報動作を行う。
【００４７】
なお、図７から図１１に示した上記の例と異なり、表示がオフの状態では、ステップＳ１１でＮＯとなり、制御部１０は、ステップＳ２１で、近接センサ３の出力が“Ｈ”又は照度センサ４の出力が“Ｈ”であるか否かを判定する。近接センサ３の出力又は照度センサ４の出力の少なくとも一方が“Ｈ”である場合（ステップＳ２１でＹＥＳ）、制御部１０は、表示部２の表示をオン状態とする（ステップＳ２２）。ここで、制御部１０は、表示ＯＮ信号と、照度センサ４の検出信号の値に応じたバックライト制御信号とを、表示部２に対して出力する。これによって表示動作がオンとされ、さらに照度センサ４の検知した光の明るさ応じてバックライトの輝度が調節される。
【００４８】
以上のように、本実施形態によれば、制御部１０が、図４に示した動作に従って、表示部２を制御する。これにより、ユーザが特別な操作をすることなく、表示部２のＯＮ／ＯＦＦ切替を瞬時に行うことができ、ユーザがストレスを感じることなく携帯端末１の省電力化をすることが可能となる。さらに、図５に示した時間の閾値設定の処理や、図１１に示した表示部２への警告表示等の処理をすることで、明暗環境での誤判定を予防することが可能になる。
【００４９】
すなわち、本実施形態によれば、近接センサ３が近接状態を検出し、かつ、照度センサ４が暗い状態を検出した場合、制御部１０が、両センサの当該各検出時刻の時間差に応じて、表示部２の動作状態を切り替える。したがって、両センサの当該各検出時刻の時間差について、動作状態の切替を行うか否かの基準となる値（すなわち閾値Ｔ）を適切に設定することで、誤検出を防止しつつ、検出することが望ましい状況を適切に検出することができる。
【００５０】
なお、本発明の実施の形態は、上記のものに限定されない。例えば、近接センサ３や照度センサ４の配置や位置関係を変更したり、警報動作を一定時間行った後、表示をオフするような制御を行うようにしたり、といった変更を適宜行うことができる。また、本発明の実施形態は、制御部１０又は他の構成要素をＣＰＵを用いて構成し、その場合にＣＰＵが実行するプログラムの一部又は全部をコンピュータ読み取り可能な記録媒体や通信回線を介して流通させることができる。
【符号の説明】
【００５１】
１  携帯端末
２  表示部
３  近接センサ
４  照度センサ
５  操作部
１０  制御部
【図１】
2014011765.tif 000003
【図２】
2014011765.tif 000004
【図３】
2014011765.tif 000005
【図４】
2014011765.tif 000006
【図５】
2014011765.tif 000007
【図６】
2014011765.tif 000008
【図７】
2014011765.tif 000009
【図８】
2014011765.tif 000010
【図９】
2014011765.tif 000011
【図１０】
2014011765.tif 000012
【図１１】
2014011765.tif 000013